(57)【要約】【課題】  イカ釣り用擬餌針であるエギは根掛かりしやすいものであるが、これを確実に且つエギ本体を損壊させないように回収する専用器具や方策がなかった。【解決手段】  下方が開放された断面Ｃ乃至Ｕ字状をした鞍形湾曲体であるカバー部材と、該カバー部材の両側下端それぞれに配置される重錘と、該カバー部材の両側の対向位置を回動軸とし該カバー部材の前方下部から上方後部を周回する線材であるシーソー体と、を具備するものであって、該シーソー体の下端は一部が切欠されており、且つ該シーソー体の回動域は、該カバー部材の前部開口を完全に横切ることがないように規制されているもの。【選択図】  図１
2010057419.tif 000002
【特許請求の範囲】
【請求項１】
下方が開放された断面Ｃ乃至Ｕ字状をした鞍形湾曲体であるカバー部材と、該カバー部材の両側下端それぞれに配置される重錘と、該カバー部材の両側の対向位置を回動軸とし該カバー部材の前方下部から上方後部を周回する線材であるシーソー体と、を具備するものであって、該シーソー体の下端は一部が切欠されており、且つ該シーソー体の回動域は、該カバー部材の前部開口を完全に横切ることがないように規制されているものであることを特徴とするエギ回収具。
【発明の詳細な説明】
【技術分野】
【０００１】
本発明は、海底や海藻等に根掛かりしたイカ釣り用エギを、釣り位置からの操作で回収するための器具の構造に関するものである。
【背景技術】
【０００２】
通常の魚と異なりイカにはウロコや骨がなく生臭さも少ないため調理が楽である、生（刺身）でも揚げても煮ても焼いても美味しくイカ自体の食味が日本人の嗜好に合致している、等々が理由となっているのか「イカ釣り」の愛好家は古くから多い。そうした中、近時ルアーフィッシングの如き釣法でイカ釣りを楽しむ「エギング」が注目を集め、その愛好家が急増している。
エギングは、「エギ（餌木）」と呼ばれるイカ専用の擬餌を用いたイカ釣法であり、このエギは元々は単なる木片であったが、現在は低発泡プラスチックを主体として製作されたものが主流となっている。美麗に彩色されたものが提供され、その大きさ・色彩が釣果を左右するとあって、実に多彩なエギが提供・市販されている。大きさは、通常３．０号〜４．５号（１号は１寸＝約３ｃｍ）が使われており、色彩は釣り場状況に合わせて、快晴には青系を、雨天には緑系・ピンク系を、潮の濁りが強い時にはピンク・オレンジ系を選択、といった使い分けがされることが多いが、状況に応じたエギの使い分けはエギングの面白さの一つだと言われている。当然釣り人お気に入りのエギというものも現れてくるし、エギ収集自体も楽しみだと言う愛好家も多い。
【０００３】
但し理由は不明であるが基本フォルムに関しては、いずれもほぼ同じである。即ち、図４に示すように、なだらかなＳ字状に湾曲した小魚状本体部Ａの先端部にはラインを結ぶためのラインアイＢ、後端部にはイカを引っ掛けるための傘針Ｃ（カンナとも呼ばれる）が設けられ、小魚を模した本体部Ａには、目に相当するアイＡ１、胸びれに相当する胸ボロＡ２（多くは鳥の羽）が付設されている。そして先端近く（アイＡ１と胸ボロＡ２の下側位置）には、露出した重錘板であるシンカーＤが取設されている。
エギが釣り場に投入されると、シンカーＤがこの位置にあることから、エギは先ず頭部を斜め下方に向けながら沈んでゆく。そこで海底まで達したらシャクリながら引き上げまた沈める、という動作を繰り返してイカが乗るのを待つ。この時胸ボロＡ２は水の抵抗を受けて動き、イカの興味を誘うことになる。
【０００４】
即ち、概して述べるとエギングは、エギで海底を探ってゆくタイプの釣法である、と言える。従って当然、根掛かりしやすい。根掛かりに遭遇したら、ラインを引っ張ることで回収できる場合もあるが、ライン切れを起こしたり、ラインアイＢ部分が破損したりすることも稀ではなく、回収はされたものの本体の損傷が激しく再利用困難、ということもあり、現実には回収不可能となることが多かった。
【０００５】
そうしたことから、根掛かりした針を回収するための器具というものが提案・市販されている。例えば特開２００１−１６９７０７号がその例である。
【特許文献１】特開平２００１−１６９７０７号公報
【発明の開示】
【発明が解決しようとする課題】
【０００６】
しかし従来の回収具は、焼き入れが充分に施され剛性が高い通常の釣り針やルアーフックを対象とするものであって傘針の特性を利用するものではなく、これをエギ回収に利用した場合、エギ本体の損傷を最小限に留めるための考慮がなされているとは言い難く、エギングを楽しむ者たちにとって理想的な回収具が存在していなかった。
【課題を解決するための手段】
【０００７】
そこで本発明者は上記諸点に鑑み長年鋭意研究の結果、市販されているエギのほとんどが、なだらかなＳ字状に湾曲した小魚状本体部Ａの先端部にはラインを結ぶためのラインアイＢ、後端部にはイカを引っ掛けるための傘針Ｃ（カンナとも呼ばれる）が設けられ、先端近くには露出した重錘板であるシンカーＤが取設されている、といった基本構造をしていること、傘針Ｃが針としては軟らかいものであること、を積極的に利用することで遂に、エギを回収する際に用いて最適な器具を完成させたものである。その特徴とするところは、下方が開放された断面Ｃ乃至Ｕ字状をした鞍形湾曲体であるカバー部材と、該カバー部材の両側下端それぞれに配置される重錘と、該カバー部材の両側の対向位置を回動軸とし該カバー部材の前方下部から上方後部を周回する線材であるシーソー体と、を具備するものであって、該シーソー体の下端は一部が切欠されており、且つ該シーソー体の回動域は、該カバー部材の前部開口を完全に横切ることがないように規制されているものである点にある。
【０００８】
即ち本発明は、エギと釣竿間のラインを利用して回収具をエギ位置まで到達させ、その後エギ本体を保護しつつ、エギ本体の中でも強度のあるシンカー部を引っ張ることで、傘針の金属線を伸ばして根掛かりから脱出させる、という目的で開発された器具である。
【０００９】
ここで「カバー部材」は、本発明回収具の殻体ともいえる部材であり、下方が開放された断面Ｃ乃至Ｕ字状の、鞍形湾曲体である。この下方開放部をライン（根掛かりしたエギと釣竿とを結ぶライン）に被せ、該ライン上を滑降してゆく。またエギは、その傘針部分が根掛かりするわけであるので、ラインを張った状態では、ラインアイ側が釣竿を向くことになる。ライン上を滑降してきた本発明回収具は、カバー部材の内部にエギを収納するような状態で滑降を終える。その際、エギ本体に衝突して損傷を与えることがないようにカバー部材の前方部分の形状を、前端部分が開き、後方に向かって一旦くびれ、その後ゆるやかに広がってゆくような形状とするのが、本発明者が試作実験した限りにおいては好ましいが、本発明はそのような形状に限定するものではない。
【００１０】
本発明回収具が迅速且つ確実にエギ位置に達するためにそのカバー部材には、「重錘」と「シーソー体」が付設されている。
「重錘」は、滑降速度を上げると共に、安定した姿勢を維持するための部材であり、カバー部材の両側下端それぞれに配置される。材質については一般的には鉛が用いられるものと思われるが、より比重の大きい（即ち体積の小さい）タングステン、鉛に比べて毒性が低く価格も安い鉄、等々を用いることもあり得る。
【００１１】
「シーソー体」は、カバー部材の両側の対向位置を回動軸とし該カバー部材の前方下部から上方後部を周回する線材である。またこのシーソー体の下端は、一部が切欠された形となっている。根掛かりしたエギと釣竿とを結ぶラインをこの切欠箇所を利用して差し込むようにする。又、該シーソー体の回動域は、該カバー部材の前部開口を完全に横切ることがないように規制されており、滑降してエギ位置に達したときにエギをカバー部材内部に確実に案内できるように構成されている。
【００１２】
本発明回収具を回収するためのラインは、該シーソー体の上端位置に固定される。周回している線材に直接結着しても良いが、上端位置に環部を形成しておきこの環部に結わえるようにしても良い。また当然このラインは、強靱であることが求められる。
【発明の効果】
【００１３】
本発明は、以下述べる効果を有する極めて高度な発明である。
【００１４】
（１）  エギを構成する各部の中でも強度が高いシンカー部分を引っ張ることでこれを回収せんとするものである。従って、エギが損壊しにくい。
（２）  回収作業中においてエギの前部から中央部分あたりは、カバー部材で覆われることになる。従って、根掛かり箇所近傍の岩等に接触してエギが損壊する可能性が低い。
（３）  回収作業に技術を必要とせず、非常に簡単である。
【発明を実施するための最良の形態】
【００１５】
以下図面に基づいて本発明を更に詳細に説明する。
【実施例】
【００１６】
図１（ａ）（ｂ）は、本発明に係るエギ回収具１（以下本発明回収具１という）の一例を示すものであり、これらの図より明らかなように本発明回収具１は、鞍形をしたカバー部材２と、その両側下端位置にそれぞれ固定された重錘３、並びに、カバー部材２の両側を中心に回動するシーソー部材４とにより構成されるものである。なお本例では、カバー部材２には無色透明の硬質ＡＢＳ樹脂成形品を用い、これに、鉛製の重錘３、プラスチックをコーティングしたステンレス線製のシーソー部材４をそれぞれ固定しているが他の材質のものを採用しても良い。
【００１７】
シーソー部材４は、カバー部材２の両側やや前方位置４１を回動軸として揺動自在に固定されたものであり、その可動域は、図２の実線位置であるＰ状態から、破線位置であるＱ状態までとなっている。即ちシーソー部材４の前部開口は、シーソー部材４の動きによってその大きさが変動すると考えられ、開口の最も小さいＰ状態でもエギＸの一部は入り込めるだけの大きさが確保でき、最も大きいＱ状態ではエギＸのシンカーＤ部分も入り込めるよう設計されている。
【００１８】
また本例のシーソー部材４は、その上端位置には環部４２が設けられ、連結ライン５の一端が結着される（他端は釣人側にある）。また、シーソー部材４の下端側は、重複部分が存在するように切欠されており、この切欠を利用してエギＸと釣竿とを結ぶラインＬをカバー部材２の前部開口内に収納できる構造となっている。
【００１９】
次に本発明回収具１の使用方法を図３（ａ）乃至（ｅ）にて概略的且つ経時的に示す。  エギング中、根掛かりした段階では、エギＸと釣竿とを結ぶラインＬは、エギＸが低くなった傾斜を以て、ピンと張られた状態となっている。この時本発明回収具１を用いるわけであるが、先ず、シーソー部材４下端の切欠を利用してラインＬに本発明回収具１をセットし滑降させる〔同図（ａ）〕。なおこの滑空動作がより安定するようにカバー部材２の上部後方に整流フィン２１を突出させ、更に上部後端にライン案内溝２２を設けているが、これらは本発明に必須の要素ではないので省略しても良い。
【００２０】
滑降の終盤、本発明回収具１の前部開口にエギＸの小魚状本体部Ａが嵌り込むことになる〔同図（ｂ）〕。この状態でシーソー部材４は前部開口を広げる方向に回動し、滑降が完了することになる。滑降の完了は、連結ライン５の送り出しが止まったことで認識できる〔同図（ｃ）〕。
【００２１】
次に、連結ライン５をゆっくりと力を込めながら引っ張ってやると、その最初の段階でシーソー部材４の上端が釣り人側に回動し、シーソー部材４の下端がエギＸの後部（傘針Ｃ位置或いはそれよりも前方の位置）の下部分を押圧することになる。
【００２２】
連結ライン５の引っ張り動作は続いているのでシーソー部材４の下端は、エギＸの小魚状本体部Ａの下部に接当しながら移動し、遂にはシンカーＤの食いこみ部分で止まる〔同図（ｄ）〕。
【００２３】
引き続き連結ライン５をゆっくり引いてゆくと、根掛かり部分に引き離し力が集中することになり、根掛かりの対象物である岩や海藻を破壊するか、傘針Ｃを変形させることになる。同図（ｅ）は、傘針Ｃが変形することでエギＸの根掛かりが解消された状態を示すものである。傘針Ｃは他の釣り針と異なり、変形してしまっても元の形状に再度変形させることが容易であるので、ラヂオペンチ等の器具を用いて簡単に修復できる。アイＡ１や胸ボロＡ２等は修復困難な部位であるが、これらはカバー部材２に覆われ、保護された状態で回収されるため、損傷を受けにくい。なお、既述したように本例ではカバー部材２を無色透明としているが、これにより視認性が増しているので、本発明回収具を完全に引き上げなくても無事回収されたかどうかが確認できることになる。
【図面の簡単な説明】
【００２４】
【図１】（ａ）（ｂ）は本発明に係るエギ回収具の一例を示すものであって、（ａ）は概略斜視図、（ｂ）は概略正面図である。
【図２】本発明に係るエギ回収具のシーソー部材の挙動並びに可動域を明らかにするための概略側面図である。
【図３】（ａ）乃至（ｅ）は、本発明に係るエギ回収具の使用方法の一例を概略的且つ経時的に示す、いずれも概略側面図である。
【図４】典型的なエギの形状・構造を示す概略側面図である。
【符号の説明】
【００２５】
１    本発明に係るエギ回収具
２    カバー部材
２１  整流フィン
２２  ライン案内溝
３    重錘
４    シーソー部材
４１  前方位置（シーソー部材４の回動軸）
４２  環部
５    連結ライン
Ｌ    ライン
Ｘ    エギ
Ａ    小魚状本体部
Ａ１  アイ
Ａ２  胸ボロ
Ｂ    ラインアイ
Ｃ    傘針
Ｄ    シンカー
【図１】
2010057419.tif 000003
【図２】
2010057419.tif 000004
【図３】
2010057419.tif 000005
【図４】
2010057419.tif 000006